(57)【特許請求の範囲】
【請求項１】
本体と、この本体内に食品を収納する加熱室と、前記食品を加熱する加熱手段と、前記加熱室に食品を入れるための開口部と、前記開口部を閉成する扉手段と、前記加熱手段の動作を制御する制御回路手段とを備え、前記制御回路手段は前記扉手段の中に組み込まれた操作回路手段と、前記加熱室を含む本体の中に組み込まれた駆動回路手段と、前記操作回路手段と駆動回路手段の間を電気信号で接続する制御回路信号接続手段とにより構成し、さらに前記制御回路信号接続手段を引き回す位置を規制する信号接続保護手段を有し、当該信号接続保護手段は略筒状となしその下面に制御回路信号接続手段が露出している領域を設けて信号接続保護手段に浸入した水蒸気・煮汁等が下に流れ出す構成とするとともに、信号接続保護手段の始まり部は扉手段の中に隠れ、終わり部は本体の中に設けられた加熱調理装置。
【請求項２】
信号接続保護手段が結合する本体の壁面には信号接続保護手段の外形寸法に略合致する角孔を設け、信号接続保護手段が前記角穴を貫通した構成の請求項１記載の加熱調理装置。
【請求項３】
制御回路信号接続手段は少なくとも２本以上の信号接続線とこれら信号接続線を通すパイプとを有する構成とした請求項１記載の加熱調理装置。
【発明の詳細な説明】
【０００１】
【発明の属する技術分野】
本発明は電子レンジ等の加熱調理装置の本体装置側の電気機器と扉側の電気機器を接続する接続装置、特にその配置構成を改良した加熱調理装置に関する。
【０００２】
【従来の技術】
従来のこの種の加熱調理装置は特開平１−１８９４２２号公報に記載されているようなものが一般的であった。この加熱調理装置は図１３に示すように１は加熱調理装置本体、２は食品を収納する加熱室、３は加熱室の開口部を開閉する扉手段、扉手段３には扉手段の外郭部４、透視バリア５、パンチング板等の金属製構成部６がそれぞれ設けられ、例えば加熱調理装置本体１内の高周波発振器等の加熱部の動作を制御する各種操作キー７を配設させた操作部８、この操作部８の操作内容や調理状況を表示する表示部９およびプリント配線基板１０等の各種電気機器が配設されている。さらに扉手段３内の各種電気機器は信号接続線１１を介して加熱調理装置本体１内の駆動回路手段１２の電気機器に接続されている。
【０００３】
また、加熱調理装置本体１の前端の側部側に上下の扉回動支持手段１３ａ、１３ｂが固定されている。これら扉回動支持手段１３ａ、１３ｂは前方向に向けて突出されて、それぞれの先端部に固着された回動軸１４ａ、１４ｂに扉手段３の側部側が回動自在に連結されている。
【０００４】
さらに、回動軸１４ｂには信号接続線１１を保護する信号接続保護手段１５の先端部が回動自在に連結されている。この信号接続保護手段１５には略コ字状の本体の端に折り曲げ片が連結されている。そしてこの折り曲げ片が本体の下面コ字状開口部を閉塞する状態に折り曲げられて信号接続線１１を挿通する略管状の信号接続保護手段１５が形成されている。そして、信号接続保護手段１５の始まりの端は加熱調理装置本体１の前板１６の下部に形成された長穴状の開口部１７を介して加熱調理装置本体１の内部に挿入されている。また信号接続保護手段１５の反対側の端は回動軸１４ｂに挿入される孔を備えている。そして、孔に隣接する信号接続保護手段１５の終端部から延長された信号接続線１１は扉手段３の外郭部４側面と金属製構成部６の下面との間のリードセン挿入孔を介して扉手段３内の各種電気機器へと接続される。そして、加熱調理装置本体１と扉手段３との間で信号接続線１１が信号接続保護手段１５に隠れるため、露出状態で保持されることが防止される構成で形成されていた。
【０００５】
【発明が解決しようとする課題】
しかしながら上記従来の加熱調理装置では、信号接続線１１が信号接続保護手段１５の中に一度入ると信号接続保護手段１５の反対側の挿入口まで露出しない状態なので、加熱室２の中であたためられた食品が扉手段３まで飛び散り、流れて信号接続線１１と信号接続保護手段１５との隙間に浸入付着し、信号接続線１１が信号接続保護手段１５の内壁に固着する状態となり、扉手段３の開閉操作のときに信号接続保護手段１５も同時に回動動作状態であるにかかわらず信号接続線１１が信号接続保護手段１５の内壁に固着して回動動作に追従できないため、信号接続線１１の局部に応力の集中が発生して信号接続線１１が断線するという課題があった。
【０００６】
【課題を解決するための手段】
本発明は上記課題を解決するため、制御回路信号接続手段を引き回す位置を規制する信号接続保護手段を有し、当該信号接続保護手段は略筒状となしその下面に制御回路信号接続手段が露出している領域を設けて信号接続保護手段に浸入した水蒸気・煮汁等が下に流れ出す構成とするとともに、信号接続保護手段の始まり部は扉手段の中に隠れ、終わり部は本体の中に設けられた構成としてある。
【０００７】
上記発明によれば信号接続保護手段が信号接続線に接触する面積が小さくなり、加熱室からの食品の水蒸気・煮汁等が飛び散った状態でも、水蒸気・煮汁等が溜まりにくく、かつ信号接続線と信号接続保護手段の間で付着する煮汁量が少量となり、信号接続線と信号接続保護手段との接着力が小さくなるため、扉手段の開閉動作に伴う信号接続線の応力集中による断線を防止することができる。
【０００８】
【発明の実施の形態】
本発明の請求項１にかかる加熱調理装置は、本体と、この本体内に食品を収納する加熱室と、前記食品を加熱する加熱手段と、前記加熱室に食品を入れるための開口部と、前記開口部を閉成する扉手段と、前記加熱手段の動作を制御する制御回路手段とを備え、前記制御回路手段は前記扉手段の中に組み込まれた操作回路手段と、前記加熱室を含む本体の中に組み込まれた駆動回路手段と、前記操作回路手段と駆動回路手段の間を電気信号で接続する制御回路信号接続手段とにより構成し、さらに前記制御回路信号接続手段を引き回す位置を規制する信号接続保護手段を有し、当該信号接続保護手段は略筒状となしその下面に制御回路信号接続手段が露出している領域を設けて信号接続保護手段に浸入した水蒸気・煮汁等が下に流れ出す構成とするとともに、信号接続保護手段の始まり部は扉手段の中に隠れ、終わり部は本体の中に設けられた構成としてある。
【０００９】
この構成により信号接続保護手段が制御回路信号接続手段を引き回す位置を規制し、制御回路信号接続手段と信号接続保護手段との接触面を少なくするため、加熱室からの食品の水蒸気・煮汁等が飛びちった状態でも、制御回路信号接続手段としての信号接続線と信号接続保護手段の間で付着する煮汁量が少量となり、信号接続線と信号接続保護手段との付着力が小さくなるため、扉手段の開閉動作に伴う信号接続線の応力集中による断線を防止することができる。
【００１０】
加えて、上記制御回路信号接続手段が露出している領域は信号接続保護手段の下面側に設けているため、加熱室からの食品の水蒸気・煮汁等が飛びちった状態でも、信号接続保護手段の内部に留まらず下に流れ出して、制御回路信号接続手段と信号接続保護手段の間で付着する煮汁量が少量となり、信号接続線と信号接続保護手段との付着力が小さくなるため、扉手段の開閉動作に伴う信号接続線の応力集中による断線を防止することができる。
【００１１】
更に、制御回路信号接続手段としての信号接続線が外観として見えないため、外観品位の向上が得られる。同時に本装置の使用に際して、子供の指の届かない位置に制御回路信号接続手段が隠れているため、子供のいたずらにより制御回路信号接続手段が引っ張られて断線する恐れがない。
【００１２】
本発明の請求項２にかかる加熱調理装置は信号接続保護手段が結合する本体装置の壁面には信号接続保護手段の外形寸法に略合致する角孔を有し、信号接続保護手段が前記角穴を貫通した構成であり、信号接続保護手段の外形寸法に合致する角穴に信号接続保護手段が貫通しているため、制御回路信号接続手段が本体装置の壁面に設けた角穴の端面部の金属バリに触れることがなく、また本体装置を操作する人が前記金属バリに触れることがなくなる。
【００１３】
本発明の請求項３にかかる加熱調理装置の制御回路信号接続手段は少なくとも２本以上の信号接続線とこれら信号接続線を通すパイプとを有する構成としてあり、信号接続線がパイプの中に隠れている範囲には、扉手段の周りの水蒸気・食品の煮汁等が直接付着しないため、信号接続線の被覆に変質劣化による絶縁性能の劣化が起こり難くなる。また信号接続保護手段のない信号接続線の範囲で、信号接続線が複数本乱雑に配置されていないため、本調理装置の外観品位が損なわれない。さらに、扉手段の開閉操作の際に信号接続線個々に外部応力を受けているが、パイプ内に複数の信号接続線が配置されると、個々の外部応力がパイプ接触部にて応力分散し、信号接続線の断線の発生する迄の扉手段の開閉回数が大きくなる。
【００１４】
【実施例】
以下、本発明の実施例について図面を用いて説明する。
【００１５】
（実施例１）
図１（ａ）は本発明の実施例１の加熱調理装置の扉を閉じた要部断面斜視図、（ｂ）は同信号保護手段の拡大図、図２は同加熱調理装置の扉を開いた要部断面斜視図、図３は同加熱調理装置の側断面概略図、図４は同加熱調理装置を示す外観斜視図、図５は同加熱調理装置の扉を開いた外観斜視図、図６は同加熱装置の要部抜き出し断面斜視図、図７は同加熱調理装置の信号接続保護手段の折り曲げ前の斜視図、図８は同加熱調理装置の信号接続保護手段の折り曲げ後の斜視図、図９は同加熱調理装置の扉を閉めたときの要部側断面図、図１０は同加熱調理装置の扉を開けたときの要部側断面図、図１１は同加熱調理装置の扉手段の簡略分解斜視図、図１２は同加熱調理装置の扉手段要部断面図である。
【００１６】
図１において、食品を入れるための開口部１８を備えた金属製の加熱室２と、この開口部１８を閉成する扉手段３を構成する外郭部４、透視バリア５、パンチング板等の金属製構成部６を備え、また、扉手段３には操作回路手段１９として操作部８と制御動作を入力する各種操作キー７と制御回路信号接続手段２０を備え、この操作部８の操作内容や調理状況等を表示する表示部９およびプリント配線基板１０等の各種電気機器が配設されている。さらに扉手段３内の各種電気機器は制御回路信号接続手段２０として信号接続線１１を介して加熱調理装置本体１内の駆動回路手段１２等の電気機器に接続されている。また、この扉手段３は回動支持手段１３ａの先端部に固着された回動軸１４ａにより扉手段３の側部側が回動自在に連結されている。
【００１７】
また、扉手段３には開閉位置規制用の扉引っ張り金具２１が扉手段３の側面に引っかけ用のアームピン２２に係止されている。
【００１８】
更に、制御信号接続手段２０は操作回路手段１９から扉手段３内の金属製構成部６の一部である電磁波遮蔽用チョーク構成の金属構成部の中を通らずに、扉手段３内の信号接続保護手段１５の始まりからの略筒状の中を通り、途切れ途切れの不連続な面で構成された信号接続保護手段１５を通り抜け加熱調理装置本体１内の仕切り板２３に固定された中継コネクタ２４に制御回路信号接続手段２０の端の信号接続線１１に接続したコネクタ２５により配線接続している。
【００１９】
また、制御回路信号接続手段２０は少なくとも２本以上の信号接続線１１とこの信号接続線１１の回線接続を行うコネクタ端子とこのコネクタ端子の回線接続を所定回線毎に配置規制するコネクタケースとを有する。
【００２０】
同時に、信号接続線１１に接続したコネクタ端子をコネクタケースに挿入配置したコネクタにて本体装置の中で機械室を分離する仕切り板２３に保持した中継用コネクタ２４が駆動回路手段７に回路接続している。そして、制御回路信号接続手段２０と回動支持手段１３ａのあいだに信号接続保護手段１５が配置され回動支持手段１３ａの金属プレス加工のバリが覆い隠されている。
【００２１】
図２において、図１の扉手段３が開いた状態で扉引っ張り金具２１が扉手段３の移動に伴い加熱調理装置本体１から引き出されて扉引っ張りバネ２６が引き延ばされている。
【００２２】
また、図１（ａ）では制御信号接続手段２０がほとんど見える断面図であったが、図２では熱調理装置本体１の前面板２７の角穴２８に信号接続保護手段１５が貫通している様子を示し制御回路信号接続手段２０の断面では屈曲に耐える信号接続線１１と熱収縮により形の変形する材料かもしくは２４０度の温度に耐えるシリコン材料のパイプ２９を示している。
【００２３】
また扉引っ張り金具２１は回動支持手段１３ａに保持され、回動支持手段１３ａに信号接続保護手段１５がビス３０にて固定されている。
【００２４】
図３において、加熱室２の下に加熱手段としてのマグネトロン３１と駆動回路手段１２とテーブルモータ３２等の電気機器を送風冷却するための送風ファン３３を配置して、これらの電気機器を仕切り板２３で囲み駆動機器と操作回路手段１９の操作部８とを分離しやすくしている。図４は、加熱調理装置本体１の扉手段３を閉じた外観を示す。
【００２５】
図５においては、図４の扉手段３を開けた状態で扉引っ張り金具２１が見える外観を示す。
【００２６】
図６は、信号接続保護手段１５の断面中に制御回路信号接続手段２０が通り不連続の複数の面を突き合わせて略筒状にした中で信号接続保護手段１５と制御回路信号接続手段２０との不連続な面接触状態を示している。また、回動支持手段１３ａの上部に、扉引っ張り金具２１を位置決めガイドするローラー３４が保持されて、更に回動支持手段１３ａに信号接続保護手段１５がビス３０にて固定されている。
【００２７】
図７は、信号接続保護手段１５が制御信号接続手段２０を折り曲げてはさみ込む前の信号接続保護手段１５の外観を示し、複雑な凹凸と不連続な平面の組み合わせで出来ており、図８に示すように２カ所折り曲げをして制御回路信号接続手段２０を挟むものである。
【００２８】
図８は、図７の信号接続保護手段１５を折り曲げた状態で、図中２カ所破線で描いた部分が折り曲げ部３５であり、信号接続保護手段１５の不連続平面と凹凸の多さを示している。また、信号接続保護手段１５は複雑な形状をしているため、樹脂成形加工により実現している。
【００２９】
図９は、信号接続保護手段１５の中を制御回路信号接続手段２０がどのように引き回されているかを示し、複雑な凹凸と不連続な平面の信号接続保護手段１５の内壁に対して密着状態が作り難い様子を示す。また、扉手段３と本体１の間で露出している信号接続保護手段１５の下面側には制御回路信号接続手段２０が露出して、信号接続保護手段１５の下壁面が無いことを示している。
【００３０】
更に、制御回路信号接続手段２０が回動支持手段１３ａの先端部に固着された回動軸１４ａに対して、回動軸１４ａの回転中心と同心円の接線に相当する方向に延長していることを示している。
【００３１】
また、信号接続保護手段１５は扉回動支持手段１３ａに位置規制の上固定し、制御信号接続手段２０が扉引っ張り金具２１と扉引っ張りバネ２６とから離れて配置している。
【００３２】
図１０は、図９の状態から扉手段３が開かれた状態を示し制御回路信号接続手段２０が扉手段３を開けても圧縮および引き延ばし等の極端な機械応力を受けていない様子を示している。
【００３３】
また、仕切り板２３に固定されている略直線配列の中継コネクタ２４が扉引っ張りバネ２６の配置方向と略平行で、しかも離れて位置していることを示している。
【００３４】
図１１と図１２は、扉手段３から操作回路手段１９を外して分離した様子と組み立てる直前の断面図を示している。
【００３５】
そして、操作回路手段１９の上の２個の引っかけ係止ピン３５が扉手段３内の凹み部３６に差し込まれて係止の後、係止ピン３５の先端部が回転軸中心となり、操作回路手段１９が回転し扉手段３の中に収納される。その後、扉手段３の外郭４に設けられた孔と操作回路手段１９のビス孔３７を位置合わせ後、固定用ビス３８にて保持する。
【００３６】
次に動作、作用について説明する。食品が加熱室１内で加熱され、煮汁が飛び散り扉手段３に煮汁が付着し、更に扉手段３の中に侵入してきて、装置の操作制御の信号を電送する制御回路信号接続手段２０に付着したとき、制御回路信号接続手段２０と接触している装置の壁面の接触距離が長いほど、食品の煮汁にて信号電線が装置の壁面に固着する範囲が大きくなるが、制御回路信号接続手段２０と接触している機器の壁面の接触距離が短いほど、もしくは装置の壁面が凸凹で、煮汁の侵入で制御回路信号接続手段２０が壁面に固着しない状態であれば、扉の開閉に伴う機械応力のため制御回路信号接続手段２０が断線するという現象がなくなる。
【００３７】
そして、制御回路信号接続手段２０としての信号接続線１１が本装置の外観として見えないため、外観品位が向上する。同時に本装置の使用に際して、子供の指の届かない位置に制御回路信号接続手段２０を配置しているため、子供のいたずらにより制御回路信号接続手段２０が引っ張られて断線する恐れもない。
【００３８】
そして、本体壁面には信号接続保護手段１５の外形寸法に合致する角穴２８に信号接続保護手段１５が貫通しているため、角穴２８に触れることがなく、また本体装置を操作する人が金属バリなどに触れることがなくなる。
【００３９】
そして、信号接続保護手段１５の途中に信号接続線１１が露出している領域が信号接続保護手段１５との接触面をその分少なくするため、加熱室２からの食品の水蒸気・煮汁等が飛びちった状態でも、信号接続線１１と信号接続保護手段１５の間で付着する煮汁量が少くなり、信号接続線１１と信号接続保護手段１５との接着力が小さくなるため、扉手段３の開閉動作に伴う信号接続線１１の応力集中による断線を防止することができる。
【００４０】
また、信号接続保護手段１５の下面に信号接続線１１の一部が露出しているため、加熱室２からの食品の水蒸気・煮汁等が飛びちった状態でも、信号接続保護手段１５の内部に留まらず下に流れ出して、信号接続線１１と信号接続保護手段１５の間で付着する煮汁量が少くなり、信号接続線１１と信号接続保護手段１５との接着力が小さくなるため、扉手段３の開閉動作に伴う信号接続線１１の応力集中による断線を防止することができる。
【００４１】
そして、扉回動支持手段１３ａと信号接続線１１の間に信号接続保護手段１５が配置しているので、扉回動支持手段１３ａの金属端面部のプレス加工のバリに信号接続線１１が接触しないため、信号接続線１１の被覆破損による地絡・短絡および動作停止などの発生を防止できる。
【００４２】
そして、扉手段３の開閉操作に伴い位置が変動する扉引っ張り金具２１と扉引っ張りバネ２６が信号接続保護手段１５に沿って配置されている信号接続線１１に接触することがなくなるため、扉引っ張り金具２１および扉引っ張りバネ２６が接触して断線および異常動作になることを防止することができる。
【００４３】
そして、扉手段３の凹み部分に操作回路手段１９の突起部３５を係止させて、係止部３６を回転中心として操作回路手段１９を回転し、扉手段３の中に挿入した後にビス３７にて固定する構成のため、操作回路手段１９の中の電気機器の故障発生時に、扉手段３の外郭４まで外さないでも扉手段３の故障修理をすることができる。
【００４４】
そして、加熱室１内の高周波電磁界の影響が届かない位置を通って信号接続線１１が配置されているため、電子レンジ動作が支障なく働くことができる。
【００４５】
そして、信号接続線１１がパイプ２９の中に隠れている範囲には、扉手段３の周りの水蒸気・食品の煮汁等が直接付着しないため、信号接続線１１の被覆に変質劣化による絶縁性能の劣化が起こり難くなる。また信号接続保護手段１５のない信号接続線１１の範囲で、信号接続線１１が複数本乱雑に配置されていないため、本調理装置の外観品位が損なわれない。さらに、扉手段３の開閉操作の際に信号接続線１１個々に外部応力を受けているが、パイプ２９内に複数の信号接続線１１が配置されると、個々の外部応力がパイプ２９接触部にて応力分散し、扉手段３の耐久開閉回数が大きくなる。
【００４６】
そして、扉手段３の開閉操作にて扉手段３の回転軸周りの信号接続線１１は曲げ・伸ばしの繰り返し状態となるが、自然放置状態にちかく扉手段３および本体からの引っ張りもしくは圧縮等の外部応力はないため、さらに、信号接続線１１がパイプの中を通り信号接続線１１相互に干渉して極端な鋭角曲げの部分がないため、信号接続線１１への局部の応力集中もない、よって扉手段３の開閉操作にて４０万回の繰り返しても断線することがない（実験にて確認済み）。
【００４７】
そして、仕切り板２３に囲まれた中に駆動回路手段１２と加熱手段としてのマグネトロン３１さらに電気機器を冷却するための送風手段３３等の主要電気機器が配置されている。このため仕切り板２３の外に位置する操作回路手段１９と仕切り板２３内の駆動回路手段１２との間の信号接続線１１が仕切り板２３部分で中継コネクタ２４にて回路接続されているため、仕切り板２３内の配線接続と仕切り板２３外の配線接続を分離した工程にて組立が可能となり、組立時間の節約ができる。また市場での故障修理サービスでの機器の分解組立が短時間でできる。
【００４８】
そして、中継コネクタ２４が扉引っ張り金具２１と扉引っ張りバネ２６とから離れているため、信号接続線１１が扉引っ張り金具２１と扉引っ張りバネ２６とにひっかかることないため、信号接続線１１が断線することがない。また、扉手段３を引っ張る扉引っ張り手段２１と扉引っ張りバネ２６が金属で、扉手段３周りの高周波電磁界を通過していても、中継コネクタ２４との距離が離れているため高周波電磁界による誤動作・誤表示は防止できる。
【００４９】
【発明の効果】
以上説明したように本発明の請求項１に係る加熱調理装置は、制御回路信号接続手段の位置規制が信号接続保護手段により行われるので、加熱室からの煮汁で制御回路信号接続手段が固着され難くなり、制御回路信号接続手段の断線が起き難くなる。
【００５０】
また、信号接続保護手段に制御回路信号接続手段が露出している領域を有しているので、加熱室からの煮汁で制御回路信号接続手段が固着され難くなり、制御回路信号接続手段の断線が起き難くなる。
【００５１】
特に上記制御回路信号接続手段が露出している領域は信号接続保護手段の下面側に設けているため、加熱室からの食品の水蒸気・煮汁等が飛びちった状態でも、信号接続保護手段の内部に留まらず下に流れ出して、制御回路信号接続手段と信号接続保護手段の間で付着する煮汁量が少くなり、制御回路信号接続手段と信号接続保護手段との接着力が小さくなるので、扉手段の開閉動作に伴う制御回路信号接続手段の応力集中による断線を防止することができる。
また、信号接続保護手段の始まり部が扉手段の中に隠れ、終わり部は本体装置の中にあるので、制御回路信号接続手段が本装置の外観として見えないため、外観品位が向上する。同時に本装置の使用に際して、子供の指の届かない位置に制御回路信号接続手段が隠れているため、子供のいたずらにより制御回路信号接続手段が引っ張られて断線する恐れがない。
【００５２】
また、請求項２に係る加熱調理装置は、信号接続保護手段の外形寸法に合わせて本体の壁面に設けた角穴に信号接続保護手段を貫通させているので、端面部の金属バリに触れることがなく、また操作をする人が前記金属バリに触れることがなくなる。
【００５３】
また、請求項３に係る加熱調理装置は、制御信号接続手段は２本以上の信号接続線とこの信号接続線を通すパイプを備えているので、信号接続線がパイプの中に隠れている範囲には、扉手段の周囲の水蒸気・食品の煮汁等が直接付着しないため、信号接続線の被覆に変質劣化による絶縁性能の劣化が起こり難くなる。また信号接続保護手段のない信号接続線の範囲で、信号接続線が複数本乱雑に配置されていないため、本調理装置の外観品位が損なわれない。さらに、扉手段の開閉操作の際に信号接続線個々に外部応力を受けているが、パイプ内に複数の信号接続線が配置されると、個々の外部応力がパイプ接触部にて応力分散し、信号接続線の断線の発生する迄の扉手段開閉回数が大きくなる（断線が起こり難くなる）。
【図面の簡単な説明】
【図１】  （ａ）本発明の実施例１における加熱調理装置の扉を閉じたときの部分断面斜視図
（ｂ）同加熱調理装置の信号接続保護手段の拡大図
【図２】  同加熱調理装置の扉を開いたときの部分断面斜視図
【図３】  同加熱調理装置の側断面概略図
【図４】  同加熱調理装置を示す外観斜視図
【図５】  同加熱調理装置の扉を開いた外観斜視図
【図６】  同加熱装置の部分抜き出し断面斜視図
【図７】  同加熱調理装置の信号接続保護手段の折り曲げ前の斜視図
【図８】  同加熱調理装置の信号接続保護手段の折り曲げ後の斜視図
【図９】  同加熱調理装置の扉を閉めたときの部分側断面図
【図１０】  同加熱調理装置の扉を開けたときの部分側断面図
【図１１】  同加熱調理装置の扉手段の簡略分解斜視図
【図１２】  同加熱調理装置の扉手段の部分断面図
【図１３】  従来の加熱調理装置の扉を開いたときの部分断面斜視図
【符号の説明】
２  加熱室
３  扉手段
１２  駆動回路手段
１３ａ  回動支持手段
１４ａ  回動軸
１５  信号接続保護手段
１９  操作回路手段
２０  制御回路信号接続手段
２１  扉引っ張り手段
２４  中継コネクタ
２６  扉引っ張りバネ
【図１】
0003931430.tif 000002
【図２】
0003931430.tif 000003
【図３】
0003931430.tif 000004
【図４】
0003931430.tif 000005
【図５】
0003931430.tif 000006
【図６】
0003931430.tif 000007
【図７】
0003931430.tif 000008
【図８】
0003931430.tif 000009
【図９】
0003931430.tif 000010
【図１０】
0003931430.tif 000011
【図１１】
0003931430.tif 000012
【図１２】
0003931430.tif 000013
【図１３】
0003931430.tif 000014